(57)【要約】【課題】ドアに容易に設置可能で、来訪者の顔を確実に記録可能な防犯用画像記録装置を提供すること。【解決手段】防犯用画像記録装置１０では、ドアの外面に配置される室外ユニット２０にＣＣＤ２７を備えた撮像系が配置されているため、防犯用画像記録装置１０をドアスコープの貫通穴を利用して設置する場合でも、ドアスコープの貫通穴に配置されるのは、室外ユニット２０と室内ユニット３０とを締結する締結部４０と、室外ユニット２０と室内ユニット３０とを電気的に接続する配線だけである。室外ユニット２０には、ＣＣＤ２７のドア外に対する視野角の中心軸をドアの外面に対する法線方向よりも斜め上向きとするウエッジプリズム２６が配置されているので、来訪者の顔を確実に記録することができる。【選択図】  図４
2008033523.tif 000002
【特許請求の範囲】
【請求項１】
ドアの外面に配置された室外ユニットと、ドアに対する人の接近を監視する人感センサーと、ドアの内面に配置された室内ユニットと、ドアに形成された貫通穴内に位置し、前記室外ユニットと前記室内ユニットとを締結する締結部とを有する防犯用画像記録装置において、
前記室外ユニットは、ドアの外側を撮像する撮像素子を備え、
前記室内ユニットは、前記人感センサーによってドアに人が接近したことを検出したときに前記撮像素子による撮像結果を静止画像情報として記憶しておくためのメモリと、該メモリに記憶されている静止画像情報に基づいて静止画を表示可能な表示装置とを備えていることを特徴とする防犯用画像記録装置。
【請求項２】
請求項１において、前記室外ユニットには、前記撮像素子のドア外に対する視野角の中心軸をドアの外面に対する法線方向よりも斜め上向きとする光学素子が配置されていることを特徴とする防犯用画像記録装置。
【請求項３】
請求項２において、前記光学素子はウエッジプリズムであることを特徴とする防犯用画像記録装置。
【請求項４】
請求項１ないし３のいずれかにおいて、前記人感センサーは前記室外ユニットに搭載されていることを特徴とする防犯用画像記録装置。
【請求項５】
請求項１ないし４のいずれかにおいて、前記人感センサーの制御を行う第１の制御部と、前記メモリによる前記静止画像情報の記憶および前記表示装置で表示を行う際の制御を行う第２の制御部とを備え、
前記人感センサーによってドアに人が接近したことを検出するまでの待機期間中、前記第１の制御部および前記第２の制御部のうち、前記第１の制御部のみが動作し、前記第２の制御部は動作を休止していることを特徴とする防犯用画像記録装置。
【請求項６】
請求項１ないし５のいずれかにおいて、前記室内ユニットには、少なくとも一次電池あるいは二次電池が電源として搭載され、当該室内ユニットには充電回路が構成されていないことを特徴とする防犯用画像記録装置。
【発明の詳細な説明】
【技術分野】
【０００１】
本発明は、ドアに人が接近したとき、接近した人を静止画像として記録しておく防犯用画像記録装置に関するものである。
【背景技術】
【０００２】
近年、空巣、窃盗、ストーカー行為などの犯罪が増加する傾向にあり、かかる犯罪者は、犯行の前にターゲットの行動パターンを監視していることが多い。従って、犯罪者が住まいに頻繁に接近していることを事前に把握できれば、犯罪の予防あるいは犯罪者の特定に効果的である。
【０００３】
そこで、ドアの上部に人感センサーを取り付ける一方、ドアスコープ用の穴にＣＣＤカメラを取り付け、ドアに人が接近した場合には、ＣＣＤカメラによって撮影された画像をメモリに静止画像情報として記録しておく装置が提案されている(例えば、特許文献１参照)。
【特許文献１】特開２００５−３１８０３６号公報
【発明の開示】
【発明が解決しようとする課題】
【０００４】
しかしながら、特許文献１に記載の装置は、ドアスコープ用の穴を利用することの特殊性に十分な配慮がなされていないため、以下の問題点がある。まず、ドアスコープ用の穴にＣＣＤカメラを取り付ける構成では、この穴自身を光路として利用するため、ドアの厚さ(穴の長さ)などによっては焦点が合わず、穴のサイズによっては、穴内にＣＣＤカメラを設置できない。また、ドアスコープは、通常、男性の一般的な顔の位置からみて低い位置にあるため、折角、記録した静止画像を再生しても来訪者の顔が写っていないことが頻繁に発生する。かといって、ドアスコープ用の穴内にＣＣＤカメラを斜め上向きに配置することは不可能である。また、広角レンズや魚眼レンズを用いて視野角を広げる方法も考えられるが、このような方法を採用すると、画像が端部で歪んでしまい、顔を識別することができないという問題点がある、さらに、装置の設置を行う際、人感センサーとＣＣＤカメラを各々、ドアの別の箇所に取り付ける必要があるため、設置作業に手間がかかるという問題点がある。
【０００５】
以上の問題点に鑑みて、本発明の課題は、ドアへの設置が容易な防犯用画像記録装置を提供することにある。
【０００６】
また、本発明の課題は、簡素な構成で、来訪者の顔を確実に記録可能な防犯用画像記録装置を提供することにある。
【課題を解決するための手段】
【０００７】
上記課題を解決するために、本発明では、ドアの外面に配置された室外ユニットと、ドアに対する人の接近を監視する人感センサーと、ドアの内面に配置された室内ユニットと、ドアに形成された貫通穴内に位置し、前記室外ユニットと前記室内ユニットとを締結する締結部とを有する防犯用画像記録装置において、前記室外ユニットはドアの外側を撮像する撮像素子を備え、前記室内ユニットは、前記人感センサーによってドアに人が接近したことを検出したときに前記撮像素子による撮像結果を静止画像情報として記憶しておくためのメモリと、該メモリに記憶されている静止画像情報に基づいて静止画を表示可能な表示装置とを備えていることを特徴とする。
【０００８】
本発明では、ドアの外面に配置された室外ユニットに撮像素子が配置されているため、防犯用画像記録装置をドアスコープの穴を利用して設置する場合でも、ドアスコープの穴は光路として利用されず、ドアスコープの穴に配置されるのは、室外ユニットと室内ユニットとを締結する締結部と、室外ユニットと室内ユニットとを電気的に接続する配線だけである。従って、防犯用画像記録装置をドアに容易に設置することができる。
【０００９】
本発明において、前記室外ユニットには、前記撮像素子のドア外に対する視野角の中心軸をドアの外面に対する法線方向よりも斜め上向きとする光学素子が配置されていることが好ましい。ドアスコープを外した際の穴を利用して防犯用画像記録装置を設置すると、室外ユニットは、男性の一般的な顔の位置からみて低い位置に設置されるが、本発明において、室外ユニットには、撮像素子のドア外に対する視野角の中心軸をドアの外面に対する法線方向よりも斜め上向きとする光学素子が配置されているので、来訪者の顔を確実に記録することができる。また、撮像素子のドア外に対する視野角の中心軸を斜め上向きとする構成を採用しているため、広角レンズや魚眼レンズを用いて視野角を広げる方法と違って、画像が端部で歪んでしまうことがない。それ故、画像の歪みを補正するための画像処理を行わなくても、来訪者の顔を識別することができる。また、ドアスコープ用の穴内にＣＣＤカメラを取り付けた構成と違って、室外ユニットに撮像素子などの撮像系が配置されているため、室外ユニットに光学素子を予め、搭載しておくだけでよいので、防犯用画像記録装置を容易に設置することができる。
【００１０】
本発明において、前記光学素子としてウエッジプリズムを用いることが好ましい。ウエッジプリズムであれば、画像を歪ませることなく、撮像素子のドア外に対する視野角の中心軸を斜め上向きとすることができる。また、ウエッジプリズムは薄いので、室外ユニットに搭載した場合でも、室外ユニットが厚くならならず、室外ユニットをドアの外面に取り付けても通路への出っ張りを最小限に抑えることができる。
【００１１】
本発明において、前記人感センサーは前記室外ユニットに搭載されていることが好ましい。このように構成すると、人感センサーを室外ユニット内に予め配置しておくことができるので、ドアの１箇所に取り付け作業を行えばよく、防犯用画像記録装置を容易に設置することができる。
【００１２】
本発明において、前記人感センサーの制御を行う第１の制御部と、前記メモリによる前記静止画像情報の記憶および前記表示装置で表示を行う際の制御を行う第２の制御部とを備え、前記人感センサーによってドアに人が接近したことを検出するまでの待機期間中、前記第１の制御部および前記第２の制御部のうち、前記第１の制御部のみが動作し、前記第２の制御部は動作を休止していることが好ましい。このように構成すると、待機期間中の無駄な電力消費を抑えることができる。
【００１３】
本発明において、前記室内ユニットには、少なくとも一次電池あるいは二次電池が電源として搭載され、当該室内ユニットには充電回路が構成されていないことが好ましい。なお、一次電池あるいは二次電池に加えて、アダプタから供給される定電圧を用いてもよく、いずれも場合にも、充電回路が構成されていないことが好ましい。充電回路を搭載すると、その分、サイズやコストが増大するが、電池やアダプタを用いれば、充電回路を必要としない分、小型化および低コスト化を図ることができる。
【発明の効果】
【００１４】
本発明では、防犯用画像記録装置をドアスコープの穴を利用して設置する場合でも、ドアスコープの穴は光路として利用されず、ドアスコープの穴に配置されるのは、室外ユニットと室内ユニットとを締結する締結部と、室外ユニットと室内ユニットとを電気的に接続する配線だけである。従って、防犯用画像記録装置をドアに容易に設置することができる。また、室外ユニットに撮像素子などの撮像系を搭載したため、撮像素子のドア外に対する視野角の中心軸をドアの外面に対する法線方向よりも斜め上向きとする光学素子を室外ユニットに搭載しておくことができるので、広角レンズや魚眼レンズを用いて視野角を広げる方法と違って、歪みを補正するための画像処理を行わなくても、再生した静止画像から来訪者の顔を識別することができ、かつ、防犯用画像記録装置を設置するのも容易である。
【発明を実施するための最良の形態】
【００１５】
図面を参照して本発明を適用した防犯用画像記録装置を説明する。
【００１６】
(全体構成)
図１は、本発明を適用した防犯用画像記録装置の使用状態を模式的に示す説明図である。図２(ａ)、(ｂ)、(ｃ)は各々、本発明を適用した防犯用画像記録装置の正面図、左側面図、および右側面図である。図３(ａ)、(ｂ)、(ｃ)は各々、本発明を適用した防犯用画像記録装置の背面図、平面図、および底面図である。図４(ａ)、(ｂ)、(ｃ)は、本発明を適用した防犯用画像記録装置の内部構成を示す断面図、その室外ユニットの内部構成を示す断面図、およびその室内ユニットの構成を示す断面図である。図５は、本発明を適用した防犯用画像記録装置の構成を示す機能ブロック図である。
【００１７】
図１、図２および図３に示すように、本形態の防犯用画像記録装置１０は、ドア１の外面１１に配置された室外ユニット２０と、ドア１の内面１２に配置された室内ユニット３０と、ドア１からドアスコープを外した際の貫通穴２内に配置された円筒状の締結部４０とから構成されている。締結部４０は、室外ユニット２０から背面側に延びた円筒体であり、その先端側外周面に形成されたねじ溝４１には室内ユニット３０内のナット４５が止められている。その結果、室外ユニット２０と室内ユニット３０は、締結部４０によって締結された状態でドア１の両面に各々取り付けられる。また、室外ユニット２０と室内ユニット３０は、締結部４０の内側に通されたケーブル(図示せず)などにより電気的に接続されている。本形態において、ナット４５としてはロックナットが用いられており、室外ユニット２０を回しても、室外ユニット２０が外れることがないようになっている。
【００１８】
図４(ａ)、(ｂ)に示すように、室外ユニット２０は、締結部４０の基端側が固定された外ベース２１と、外ベース２１の前側を覆う外ケース２２とを備えており、外ベース２１はドア１の外面１１に密着した状態とされる。外ケース２２には３つの穴２２１、２２２、２２３が縦に並んで形成されている。３つの穴２２１、２２２、２２３のうち、最上段の穴２２１は監視穴になっており、穴２２１(監視穴)の背後には、室外ユニット２０内において基板２８に搭載されたＣＣＤ２７(撮像素子)が配置されている。
【００１９】
また、穴２２１(監視穴)とＣＣＤ２７との間にはウエッジプリズム２６が配置されており、このウエッジプリズム２６は、図１に示すように、ＣＣＤ２７のドア１外に対する視野角の中心軸Ｌ２をドア１の外面１１に対する法線方向Ｌ１よりも、角度θ分だけ、例えば約１０°だけ斜め上向きとする光学素子として機能する。すなわち、ＣＣＤ２７には穴２２１から入射した光が導かれるが、かかる入射光の光軸はウエッジプリズム２６によって折り曲げられている。このため、ドアスコープが配置されている位置からみて斜め上向きがＣＣＤ２７の撮像範囲である。
【００２０】
外ケース２２に形成された３つの穴２２１、２２２、２２３のうち、下側の２つの穴２２２、２２３は、ドア１の近傍に人がいるか否かを検出するための穴である。すなわち、室外ユニット２０内には、人感センサー５０として反射型の赤外線センサー(測距センサー)が搭載されており、その赤外線の出射部５０１が中段の穴２２２の背後に配置され、ドア１の近傍に位置する人により反射してきた赤外線を受ける受光部５０２が最下段の穴２２３の背後に配置されている。なお、人感センサー５０としては、反射型赤外線センサーに代えて、集電形赤外線センサーを用いてもよい。
【００２１】
図４(ａ)、(ｃ)に示すように、室内ユニット３０は、締結部４０の先端側が貫通する内ベース３１と、内ベース３１を覆う内ケース３２とを備えており、内ベース３１はドア１の内面１２に密着した状態とされる。内ケース３２には、室内ユニット３０の上側部分を開閉する取付蓋３３がスライド可能に取り付けられており、防犯用画像記録装置１０をドア１に設置する際、内ケース３２から取付蓋３３を外して内部を開放すれば、締結部４０の先端部にナット４５を止めることが可能となる。それ故、防犯用画像記録装置１０をドア１に取り付ける際、誤って室内ユニット３０内の回路などを損傷させることがない。
【００２２】
また、内ケース３２の正面(防犯用画像記録装置１０の背面)には、室内ユニット３０の下側部分を開閉する電池蓋３４がスライド可能に取り付けられており、電池蓋３４を外して内部を開放すれば、電池８１の着脱が可能となる。ここで、電池８１は、一次電池あるいは二次電池が使用され、防犯用画像記録装置１０の電源として機能する。内ケース３２の側面にはアダプタのＤＣジャック８２が配置されており、アダプタから供給される定電圧を電源として用いることもできる。このため、室内ユニット３０には充電回路が搭載されていない。なお、内ケース３２の側面において、ＤＣジャック８２に隣接する位置には電源スイッチ７０が配置されている。
【００２３】
また、内ケース３２の側面において、電源スイッチ７０に隣接する位置には、半導体メモリカード６５に対するスロット６５０が形成されており、半導体メモリカード６５は、防犯用画像記録装置１０において静止画像をＪＰＥＧ(Joint Photographic Expert Group)形式のデジタルデータなどとして記憶しておくメモリとして用いられている。
【００２４】
内ケース３２の正面中央部分の下半部には計６つのキー７１〜７６が配置されており、これらのキー７１〜７６には各々、「在宅」「留守」「保存」「戻る」「送る」「消去」と付されている。内ケース３２の正面中央部分の上半部には、内ケース３２の内部に構成されたパネル台３２１に保持されたＬＣＤ６０(液晶表示装置／表示装置)が配置されている。
【００２５】
図５に示すように、本形態の防犯用画像記録装置１０において、室外ユニット２０には、人感センサー５０の制御を行う１チップＣＰＵからなる第１の制御部５１が構成されている。また、ＣＣＤ２７は室外ユニット２０に構成されているが、このＣＣＤ２７に対する表示コントローラ６３、およびこの表示コントローラ６３を介してＣＣＤ２７の制御を行うＣＰＵは、第２の制御部５２として室内ユニット３０に構成されている。第２の制御部５２は、ＣＣＤ２７の制御の他、ＬＣＤ６０での表示を行う際の制御、表示コントローラ６３を介しての半導体メモリカード６５に対する情報の記憶および読み出しの制御などを行う。すなわち、第２の制御部５２は、ＲＯＭ５３やＲＡＭ５４に格納されているプログラム、およびキー７１〜７６などを介しての外部操作に基づいて、人感センサー５０の制御以外の防犯用画像記録装置１０全体の制御を全て行う。なお、キー７１〜７６を介しての外部操作により設定された条件は、ＥＥＰＲＯＭ５６に記録される。
【００２６】
また、室内ユニット３０には、防犯用画像記録装置１０の動作に必要なクロック信号を生成するクロック信号発生部５５や、ＦＰＧＡ(Field Programmable Gate Array)などからなる画像処理回路６１、電池８１やＤＣジャック８２を介して供給される定電圧により３．３Ｖ、５Ｖの定電圧を生成する電源回路８０も構成されている。
【００２７】
(条件設定の動作)
図６〜図１３を参照して、本形態の防犯用画像記録装置１０の電源をオン状態にした後の初期動作を説明する。図６は、本発明を適用した防犯用画像記録装置１０の電源をオン状態にした後の動作を示すフローチャート図である。図７は、本発明を適用した防犯用画像記録装置１０において、設定変更を行う際の動作を示すフローチャート図である。図８および図９は各々、本発明を適用した防犯用画像記録装置１０において、人感センサー５０の反応時間および感度の設定変更を行う際の動作を示すフローチャート図である。図１０は、本発明を適用した防犯用画像記録装置１０において、ＬＥＤ照明を行うか否かの設定を行う際の動作を示すフローチャート図である。図１１(ａ)、(ｂ)は、本発明を適用した防犯用画像記録装置１０において、記録数を設定し直す際の動作を示すフローチャート図である。図１２(ａ)、(ｂ)、(ｃ)は、本発明を適用した防犯用画像記録装置１０において、ＬＣＤ画面の設定変更を行う際の動作を示すフローチャート図である。図１３は、本発明を適用した防犯用画像記録装置１０において、日時設定を行う際の動作を示すフローチャート図である。
【００２８】
図６において、ステップＳ１００で電源スイッチ７０をオンにすると、まず、ステップＳ１１１で設定メニュー用のカウンタを０にするなどのイニシャル処理を行った後、ステップＳ１１２でキー処理を待つ。その間、「保存」「在宅」「留守」のキーのいずれもが操作されない場合、これらのキー操作が行われるまで待機する。そして、「保存」「在宅」「留守」のキーのうち、ステップＳ１１３で「保存」のキー７３が操作されたと判断すると、図７に示す設定変更モード(ステップＳ２００)に移行する一方、ステップＳ１１４、ステップＳ１１５で「在宅」あるいは「留守」のキーが操作されたと判断すると、図１４および図１５を参照して後述する監視モード(在宅モード(ステップＳ９００)あるいは留守モード(ステップＳ８００))に移行する。
【００２９】
まず、ステップＳ１１３で「保存」のキー７３が操作されたと判断すると、図７に示す設定変更モード(ステップＳ２００)を実行する。それには、まず、ステップＳ２０１でＬＣＤ６０に設定画面表示を行った後、「戻る」「保存」「消去」「送る」のいずれかのキーが操作されるまで待機状態となる。そして、ステップＳ２０２で「戻る」のキー７４が操作されたと判断すると、設定変更モードを中止して、図６のキー処理(ステップＳ１１２)に戻る。
【００３０】
これに対して、ステップＳ２０３で「保存」のキー７３が操作されたと判断すると、ステップＳ２１１でカウンタをインクリメントした後、ステップＳ２２１でカウンタが１回であるとして、ステップＳ２３１でセンサー反応時間の設定メニュー画面を反転表示した後、ステップＳ２０５で「送る」のキー７５が操作されたと判断した時点でステップＳ２４０でカウンタデータの判定を行い、ステップＳ２４１でカウンタが１回と判断した場合には、図８に示すセンサー反応時間の設定モード(ステップＳ３００)に移行する。
【００３１】
図８に示す人感センサー５０の反応時間の設定モード(ステップＳ３００)は、人感センサー５０をパルス駆動する際のオン期間を一定にしたまま、オフ時間を任意に設定するモードであり、オフ時間を長く設定すると、人感センサー５０によってドア１に人が接近したことを検出する頻度が低下する代わりに省電力化を図ることができる。この設定動作において、ステップＳ３０１で「戻る」のキー７４が操作されたと判断すると、動作を中止して、図７の設定画面表示(ステップＳ２０１)に戻る。
【００３２】
これに対して、ステップＳ３０１で「保存」のキー７３が操作されたと判断すると、ステップＳ３０４で人感センサー５０の反応時間の設定カウンタをインクリメントして反応時間を一段階、長い方に変更する一方、ステップＳ３０３で「消去」のキー７６が操作されたと判断すると、ステップＳ３０５で人感センサー５０の反応時間の設定カウンタをデクリメントして反応時間を一段階、短い方に変更する。このような操作を繰り返すことにより、人感センサー５０の反応時間を所定の条件に設定する。
【００３３】
また、図７において、例えば、反応時間の設定動作を行った後、ステップＳ２０３で再度、「保存」のキー７３を操作すると、ステップＳ２１１でカウンタを再度、インクリメントするので、ステップＳ２２２でカウンタが２回であると判断するので、ステップＳ２３２で人感センサー５０の感度の設定メニュー画面を反転表示した後、ステップＳ２０５で「送る」のキー７５が操作されたと判断した時点でステップＳ２４０でカウンタデータの判定を行い、ステップＳ２４２でカウンタが２回であると判断した場合には、図９に示す人感センサー５０の感度の設定モード(ステップＳ３５０)に移行する。
【００３４】
図９に示す人感センサー５０の感度の設定モード(ステップＳ３５０)は、人感センサー５０における赤外線出力あるいは受光結果のしきい値などを任意に設定するものであり、感度を低く設定すると、ドア１から離れた位置を人が通ったときに静止画像を記録するのを防止することができるので、無駄な動作を省くことができ、省電力化を図ることができる。この設定動作において、ステップＳ３５１で「戻る」のキー７４が操作されたと判断すると、動作を中止して、図７の設定画面表示(ステップＳ２０１)に戻る。
【００３５】
これに対して、ステップＳ３５２で「保存」のキー７３が操作されたと判断すると、ステップＳ３５４で人感センサー５０の感度の設定カウンタをインクリメントして感度を一段階、高い方に変更する一方、ステップＳ３５３で「消去」のキー７６が操作されたと判断すると、ステップＳ３５５で人感センサー５０の感度の設定カウンタをデクリメントして感度を一段階、短い方に変更する。このような操作を繰り返すことにより、人感センサー５０の感度を所定の条件に設定する。
【００３６】
図７において、例えば、反応時間の設定動作を行った後、ステップＳ２０３で再度、「保存」のキー７３を操作すると、ステップＳ２１１でカウンタを再度、インクリメントするので、ステップＳ２２３でカウンタが３回であると判断するので、ステップＳ２３３でＬＥＤの照明有無の設定メニュー画面を反転表示した後、ステップＳ２０５で「送る」のキー７５が操作されたと判断した時点でステップＳ２４０でカウンタデータの判定を行い、ステップＳ２４３でカウンタが３回であると判断した場合には、図１０に示すＬＥＤ照明の有無の設定モード(ステップＳ４００)に移行する。ここで、ＬＥＤ照明は、オプションによる付加する機能であるため、図４および図５などには図示を省略してある。
【００３７】
図１０に示すＬＥＤ照明の有無の設定のモード(ステップＳ４００)は、静止画面を取り込む際、ドア１の外を照明するか否かを設定するものであり、ＬＥＤ照明を行わない場合には、静止画像がやや暗くなる代わりに省電力化を図ることができる。この設定動作において、ステップＳ４０１で「戻る」のキー７４が操作されたと判断すると、動作を中止して、図７の設定画面表示(ステップＳ２０１)に戻る。これに対して、ステップＳ４０２で「保存」のキー７３が操作されたと判断すると、ステップＳ４０４でＬＥＤ照明有に設定する一方、ステップＳ４０３で「消去」のキー７６が操作されたと判断すると、ステップＳ４０５でＬＥＤ照明無しに設定する。
【００３８】
図７において、例えば、ＬＥＤ照明の有無の設定動作を行った後、ステップＳ２０３で再度、「保存」のキー７３を操作すると、ステップＳ２１１でカウンタを再度、インクリメントするので、ステップＳ２２４でカウンタが４回であると判断するので、ステップＳ２３４で半導体メモリカード６５への記録数の設定メニュー画面を反転表示した後、ステップＳ２０５で「送る」のキー７５が操作されたと判断した時点でステップＳ２４０でカウンタデータの判定を行い、ステップＳ２４４でカウンタが４回であると判断した場合には、図１１(ａ)、(ｂ)に示す半導体メモリカード６５への記録数の設定モード(ステップＳ５００)に移行する。
【００３９】
図１１(ａ)に示す記録数の設定モード(ステップＳ５００)は、現在の記録数を表示結果に基づいて、半導体メモリカード６５に記録されている静止画像を全て消去する場合に行うものであり、まず、ステップＳ５０１で現在の記録数を表示した後、ステップＳ５０２で「戻る」のキー７４が操作されたと判断すると、動作を中止して、図７の設定画面表示(ステップＳ２０１)に戻る。これに対して、ステップＳ５０３で「消去」のキー７６が操作されたと判断すると、図１１(ｂ)に示す全消去動作(ステップＳ５１０)を行う。全消去動作(ステップＳ５１０)では、ステップＳ５１１で現在の記録数を反転表示した後、ステップＳ５１２で「戻る」のキー７４が操作されたと判断すると、図１１(ａ)の記録数の表示(ステップＳ５０１)に戻る。これに対して、ステップＳ５１２で「消去」のキー７６が操作されたと判断すると、ステップＳ５１３で消去の確認画面に切り換わった後、ステップＳ５１４で「消去」のキー７６が操作されたと判断すると、ステップＳ５１６で半導体メモリカード６５に記録されている静止画像を全て消去した後、次のキー操作があるまで待機する。なお、ステップＳ５１３で消去の確認画面に切り換わった後、ステップＳ５１５に「戻る」のキー７４が操作されたと判断すると、次のキー操作があるまで待機する。
【００４０】
図７において、例えば、記録数の設定動作を行った後、ステップＳ２０３で再度、「保存」のキー７３を操作すると、ステップＳ２１１でカウンタを再度、インクリメントするので、ステップＳ２２５でカウンタが５回であると判断するので、ステップＳ２３５で時刻の設定メニュー画面を反転表示した後、ステップＳ２０５で「送る」のキー７５が操作されたと判断した時点でステップＳ２４０でカウンタデータの判定を行い、ステップＳ２４５でカウンタが５回であると判断した場合には、図１２に示す時刻設定モード(ステップＳ６００)に移行する。
【００４１】
図１２に示す時刻設定モード(ステップＳ６００)において、ステップＳ６０２で「年」「月」「日」「時」「分」が反転表示された後、ステップＳ６０３で「戻る」のキー７４が操作されたと判断すると、動作を中止して、図７の設定画面表示(ステップＳ２０１)に戻る。これに対して、ステップＳ６０４で「保存」のキー７３が操作されたと判断すると、例えば、ステップＳ６１１で「年」の数値に対応するカウンタがインクリメントされた後、次のキー操作があるまで待機する。これに対して、ステップＳ６０５で「消去」のキー７６が操作されたと判断すると、ステップＳ６１２で「年」の数値に対応するカウンタがデクリメントされた後、次のキー操作があるまで待機する。このような操作を繰り返すことにより、「年」を所定の条件に設定する。また、ステップＳ６０６で「送る」のキー７５が操作されたと判断する度に設定対象が「年」「月」「日」「時」「分」の順にシフトしていくので、「年」「月」「日」「時」「分」「年」を所定の値に設定することができる。
【００４２】
図７において、例えば、時刻の設定動作を行った後、ステップＳ２０３で再度、「保存」のキー７３を操作すると、ステップＳ２１１でカウンタを再度、インクリメントするので、ステップＳ２２６でカウンタが６回であると判断するので、ステップＳ２３６でＬＣＤ６０の設定メニュー画面を反転表示した後、ステップＳ２０５で「送る」のキー７５が操作されたと判断した時点でステップＳ２４０でカウンタデータの判定を行い、ステップＳ２４６でカウンタが６回であると判断した場合には、図１３(ａ)、(ｂ)、(ｃ)に示すＬＣＤ設定モード(ステップＳ７００)に移行する。
【００４３】
図１３(ａ)に示すＬＣＤ６０の設定モード(ステップＳ７００)においては、ステップＳ７０１で「戻る」のキー７４が操作されたと判断すると、動作を中止して、図７の設定画面表示(ステップＳ２０１)に戻る。これに対して、ステップＳ７０２で「送る」のキー７５が操作されたと判断すると、ステップＳ７０３でフラグのセット・リセットが行われた後、ステップＳ７０４でフラグチェックが行われる。その結果、フラグがオフになっている場合には、図１３(ｂ)に示すコントラストの設定モード(ステップＳ７６０)に移行する。このコントラスト設定モード(ステップＳ７６０)では、ステップＳ７６１で「戻る」のキー７４が操作されたと判断すると、図１３(ａ)に示すＬＣＤ６０の設定モード(ステップＳ７００)に戻る。これに対して、ステップＳ７６２で「保存」のキー７３が操作されたと判断すると、ステップＳ７６７でコントラスト設定カウンタがインクリメントされて、コントラストが一段階、高く設定される一方、ステップＳ７６３で「消去」のキー７６が操作されたと判断すると、ステップＳ７６８でコントラスト設定カウンタがデクリメントされて、コントラストが一段階、低く設定される。このような操作を繰り返すことにより、コントラストを所定の条件に設定することができる。
【００４４】
これに対して、図１３(ａ)に示すＬＣＤ６０の設定モード(ステップＳ７００)において、ステップＳ７０３でフラグがオンになっていると判断した場合には、図１３(ｃ)に示すブライトの設定モード(ステップＳ７８０)に移行する。ブライト設定モード(ステップＳ７８０)において、ステップＳ７８１で「戻る」のキー７４が操作されたと判断すると、図１３(ａ)に示すＬＣＤ６０の設定モード(ステップＳ７００)に戻る。これに対して、ステップＳ７８２で「保存」のキー７３が操作されたと判断すると、ステップＳ７８７でブライト設定カウンタがインクリメントされて、ブライトが一段階、高く設定される一方、ステップＳ７８３で「消去」のキー７６が操作されたと判断すると、ステップＳ７８８でブライト設定カウンタがデクリメントされて、ブライトが一段階、低く設定される。このような操作を繰り返すことにより、ブライトを所定の条件に設定することができる。
【００４５】
なお、ステップＳ２３１〜２３６で各メニュー画面を表示した後、ステップＳ２０４で「消去」のキー７６が操作されたと判断した場合には、ステップＳ２１２でカウンタをデクリメントして、カウンタ値に対応する処理を行う。
【００４６】
(留守モードの動作)
図１４は、本発明を適用した防犯用画像記録装置１０の留守モードでの監視動作を示すフローチャート図である。
【００４７】
図６において、電源スイッチ７０をオンにした後、あるいは各種設定を行った後、ステップＳ１１５で「留守」のキー７２が操作されたと判断すると、図１４に示す留守モード(ステップＳ８００)での監視動作が実行される。図１４において、留守モード(ステップＳ８００)に移行した後は、ステップＳ８０２で人感センサー５０の検出結果からみてドア１付近に人がいるか否かを判断し、ドア１に人が近づくまで待機状態となる。この待機期間中、第１の制御部５１は、人感センサー５０の制御を実行し続けるが、第２の制御部５２は、動作を休止している。
【００４８】
そして、ステップＳ８０２で人感センサー５０によってドア１に人が近づいたことを検知したとき、ステップＳ８０４で第１の制御部５１は、第２の制御部５２を起動させ、第２の制御部５２は、ＣＣＤ２７や表示コントローラ６３などに対する制御を開始した後、電子シャッタを動作させて、ＣＣＤ２７が取り込んだ画像情報を静止画像情報として半導体メモリカード６５に「年」「月」「日」「時」「分」の情報とともに記録した後、ステップＳ８０２に戻り、人感センサー５０の検出結果に基づいてドア１の近くに人がいるか否かを監視する。その際、第１の制御部５１は、人感センサー５０の制御を実行し続けるが、第２の制御部５２は、動作を休止する。
【００４９】
(在宅モードの動作)
図１５(ａ)、(ｂ)は、本発明を適用した防犯用画像記録装置１０の在宅モードでの監視動作を示すフローチャート図である。
【００５０】
図６において、電源スイッチ７０をオンにした後、あるいは各種設定を行った後、ステップＳ１１５で「在宅」のキー７１が操作されたと判断すると、図１５(ａ)、(ｂ)に示す在宅モード(ステップＳ９００)での監視動作が実行される。図１５(ａ)において、在宅モード(ステップＳ９００)に移行した後は、まず、ステップＳ９０２で半導体メモリカード６５に記録されている最新の静止画像情報に基づいて静止画像をＬＣＤ６０に表示した後、待機する。次に、ステップＳ９１２でキー処理を行う。このキー処理において、ステップＳ９１４で「送る」のキー７５が操作されたと判断すると、ステップＳ９２２で半導体メモリカード６５に記録されている静止画像情報のうち、現在表示されている静止画像より１つ前に記録された静止画像をＬＣＤ６０に表示した後、ステップＳ９１２のキー処理に戻る。また、ステップＳ９１６で「戻る」のキー７４が操作されたと判断すると、半導体メモリカード６５に記録されている静止画像情報のうち、現在表示されている静止画像より１つ後に記録された静止画像をＬＣＤ６０に表示した後、ステップＳ９１２のキー処理に戻る。なお、ステップＳ９１８で「消去」のキー７６が操作されたと判断すると、現在表示されている静止画像に対応する静止画像情報を半導体メモリカード６５から消去する。
【００５１】
このような在宅モードでの動作を行っている間、人感センサー５０での検出結果に基づいて、第１の制御部５１がドア１に人が近づいたことを検知したとき、在宅モードでの監視モード(ステップＳ９５０)に移行し、第２の制御部５２は、ＣＣＤ２７やＬＣＤ６０などに対する制御を開始し、ステップＳ９５２でドア１の外の様子を動画として表示し、ステップＳ９５４でのキー処理と、ステップＳ９５８でのドア１の近くに人がいるか否かの確認が行われる。
【００５２】
ステップＳ９５４でのキー処理において、ステップＳ９５６で「保存」のキー７３が操作されたと判断した場合、ステップＳ９５７で、そのときの静止画像情報を半導体メモリカード６５に記録した後、ステップＳ９５８でドア１の近くに人がまだいるか否かを確認し、ドア１の近くに人がまだいると判断した場合には、ＬＣＤ６０での動画の表示を継続する。これに対して、すでにドア１の近くに人がいないと判断した場合には、図１５(ａ)に示すキー処理(ステップＳ９１２)に戻る。
【００５３】
また、ステップＳ９５６で「保存」のキー７３が操作されたと判断しなかった場合において、ステップＳ９５８でドア１の近くに人がまだいると判断した場合、ＬＣＤ６０での動画の表示を継続する。これに対して、すでにドア１の近くに人がいないと判断した場合には、図１５(ａ)に示すキー処理(ステップＳ９１２)に戻る。
【００５４】
(本形態の主な効果)
以上説明したように、本形態の防犯用画像記録装置１０では、ドア１の外面１１に配置された室外ユニット２０にＣＣＤ２７などの撮像系が配置されているため、防犯用画像記録装置１０をドアスコープの貫通穴２を利用して設置する場合でも、ドアスコープの貫通穴２は光路として利用されず、ドアスコープの貫通穴２に配置されるのは、室外ユニット２０と室内ユニット３０とを締結する締結部４０と、室外ユニット２０と室内ユニット３０とを電気的に接続する配線だけである。従って、防犯用画像記録装置１０をドア１に容易に設置することができる。また、ドアスコープを外した際の貫通穴２のサイズや、ドア１の厚さ(貫通穴２の長さ)に関わらず、防犯用画像記録装置１０をドア１に設置することができ、ドアスコープのないドアへの取り付けも可能である。さらに、引き戸に対しても、開閉に支障のない箇所への取り付けが可能である。
【００５５】
また、ドアスコープを外した際の貫通穴２を利用して防犯用画像記録装置１０を設置すると、室外ユニット２０は、男性の一般的な顔の位置からみて低い位置に設置されるが、本形態において、室外ユニット２０には、ＣＣＤ２７のドア１外に対する視野角の中心軸をドア１の外面１１に対する法線方向よりも斜め上向きとするウエッジプリズム２６が配置されているので、来訪者の顔を確実に記録することができる。また、ＣＣＤ２７のドア１外に対する視野角の中心軸を斜め上向きとする構成を採用しているため、広角レンズや魚眼レンズを用いて視野角を広げる方法と違って、画像が端部で歪んでしまうことがない。それ故、画像の歪みを補正するための画像処理を行わなくても、来訪者の顔を識別することができる。また、ドアスコープ用の穴にＣＣＤカメラを取り付けた構成と違って、室外ユニット２０にＣＣＤ２７などの撮像系が配置されているため、室外ユニット２０に光学素子を予め、搭載しておくだけでよいので、防犯用画像記録装置１０を容易に設置することができる。しかも、ウエッジプリズム２６は薄いので、室外ユニット２０に搭載した場合でも、室外ユニット２０が厚くならならず、室外ユニット２０をドア１の外面１１に取り付けても通路への出っ張りを最小限に抑えることができる。
【００５６】
さらに、本形態において、人感センサー５０は室外ユニット２０内に構成されているので、防犯用画像記録装置１０をドア１に設置する際、ドア１の１箇所に取り付け作業を行えばよく、防犯用画像記録装置１０を容易に設置することができる。
【００５７】
さらにまた、第１の制御部５１および第２の制御部５２では、人感センサー５０によってドア１に人が接近したことを検出するまでの待機期間中、第１の制御部５１のみが動作し、第２の制御部５２は動作を休止している。このため、待機期間中の無駄な電力消費を抑えることができる。
【００５８】
また、室内ユニット３０には、電池８１(一次電池あるいは二次電池)が電源として搭載されている。このため、室内ユニット３０には充電回路が構成されていないので、小型化および低コスト化を図ることができる。
【００５９】
(その他の実施の形態)
なお、上記形態では、静止画像を撮るにあたって電子シャッタを利用したが、機械式のシャッタを用いてもよい。
【図面の簡単な説明】
【００６０】
【図１】本発明を適用した防犯用画像記録装置の使用状態を模式的に示す説明図である。
【図２】(ａ)、(ｂ)、(ｃ)は各々、本発明を適用した防犯用画像記録装置の正面図、左側面図、および右側面図である。
【図３】(ａ)、(ｂ)、(ｃ)は各々、本発明を適用した防犯用画像記録装置の背面図、平面図、および底面図である。
【図４】(ａ)、(ｂ)、(ｃ)は、本発明を適用した防犯用画像記録装置の内部構成を示す断面図、その室外ユニットの内部構成を示す断面図、およびその室内ユニットの構成を示す断面図である。
【図５】本発明を適用した防犯用画像記録装置の構成を示す機能ブロック図である。
【図６】本発明を適用した防犯用画像記録装置の電源をオン状態にした後の動作を示すフローチャート図である。
【図７】本発明を適用した防犯用画像記録装置において、設定変更を行う際の動作を示すフローチャート図である。
【図８】本発明を適用した防犯用画像記録装置において、人感センサーの反応時間の設定変更を行う際の動作を示すフローチャート図である。
【図９】本発明を適用した防犯用画像記録装置において、人感センサーの感度の設定変更を行う際の動作を示すフローチャート図である。
【図１０】本発明を適用した防犯用画像記録装置において、ＬＥＤ照明を行うか否かの設定を行う際の動作を示すフローチャート図である。
【図１１】(ａ)、(ｂ)は、本発明を適用した防犯用画像記録装置において、記録数を設定し直す際の動作を示すフローチャート図である。
【図１２】(ａ)、(ｂ)、(ｃ)は、本発明を適用した防犯用画像記録装置において、ＬＣＤ画面の設定変更を行う際の動作を示すフローチャート図である。
【図１３】本発明を適用した防犯用画像記録装置において、日時設定を行う際の動作を示すフローチャート図である。
【図１４】本発明を適用した防犯用画像記録装置の留守モードでの監視動作を示すフローチャート図である。
【図１５】(ａ)、(ｂ)は、本発明を適用した防犯用画像記録装置の在宅モードでの監視動作を示すフローチャート図である。
【符号の説明】
【００６１】
１  ドア
２  ドアの貫通穴
１０  防犯用画像記録装置
２０  室外ユニット
２６  ウエッジプリズム(光学素子)
２７  ＣＣＤ(撮像素子)
３０  室内ユニット
４０  締結部
５０  人感センサー
５１  第１の制御部
５２  第２の制御部
６０  ＬＣＤ(液晶表示装置／表示装置)
６５  半導体メモリカード(メモリ)
８１  電池
８２  ＤＣジャック
【図１】
2008033523.tif 000003
【図２】
2008033523.tif 000004
【図３】
2008033523.tif 000005
【図４】
2008033523.tif 000006
【図５】
2008033523.tif 000007
【図６】
2008033523.tif 000008
【図７】
2008033523.tif 000009
【図８】
2008033523.tif 000010
【図９】
2008033523.tif 000011
【図１０】
2008033523.tif 000012
【図１１】
2008033523.tif 000013
【図１２】
2008033523.tif 000014
【図１３】
2008033523.tif 000015
【図１４】
2008033523.tif 000016
【図１５】
2008033523.tif 000017